(57)【特許請求の範囲】
【請求項１】
紙、樹脂フィルム等のシート状基材からなり、裏面側に被写体に貼着可能な粘着層を備えると共に、基材表面がマット状とされ、且つ、該基材表面に、少なくとも３色の色材が、異なる区画にマット状に塗布されてなる画像記録用カラーチャートを、前記粘着層により被写体に貼着して被写体と共に撮影する過程と、撮影した画像をデジタルデータとして記憶装置に取り込む過程と、前記記憶装置に取り込まれたデジタルデータを、ディスプレイ上に表示する過程と、前記３色のうち少なくとも２色の、ディスプレイ上における前記画像記録用カラーチャートの色値を読み取る過程と、読み取ったカラーチャートの色値のデジタルデータと前記画像記録用カラーチャートにおける対応する区画での目標値とにより各色毎の補正値を算出する過程と、該算出した補正値により前記記憶装置に取り込まれたデジタルデータを補正して、再度記憶装置に取り込む過程と、を有してなり、前記３色の色値の目標値を予め設定しておき、前記ディスプレイ上の画像における各区画の色値を読み取り、読み取った色値のデジタルデータと前記目標値とから補正値を算出する色補正方法であって、
前記色材を白、黒、グレーとし、且つ、白及び黒の色値の目標値ＯH 、ＯL を予め設定しておき、前記ディスプレイ上に表示された画像の白区画のＲＧＢ値ＩH (R)、ＩH (G)、ＩH (B)を読み取り、この読み取り値と対応する前記目標値とを座標軸とする２次元グラフにおける（０，０）−（ＩH ，ＯH ）−（２５５，２５５）の各点を通る補正カーブに基づき、前記取り込まれているＲＧＢ値ＩH (R)、ＩH (G)、ＩH (B)を変換し、
次に黒区画のＲＧＢ値ＩL (R)、ＩL (G)、ＩL (B)を読み取り、この読み取り値と対応する前記目標値とを座標軸とする２次元グラフにおける（０，０）−（ＩL ，ＯL ）−（２５５，２５５）の各点を通る補正カーブに基づき、前記取り込まれているＲＧＢ値ＩL (R)、ＩL (G)、ＩL (B)を変換し、
次にグレー区画のＲＧＢ値ＩM (R) 、ＩM(G) 、ＩM (B) を読み取り、この読み取り値であるＩM (R) 、ＩM (G)、ＩM (B)の平均値Ａｖｅ（ＩM ）を計算し、前記読み取り値と対応する前記目標値とを座標軸とする２次元グラフにおける（０，０）−（ＩM ，Ａｖｅ（ＩM ））−（２５５，２５５）の各点を通る補正カーブに基づき、前記取り込まれているＲＧＢ値ＩM (R) 、ＩM (G)、ＩM (B)を変換することを特徴とする色補正方法。
【請求項２】
紙、樹脂フィルム等のシート状基材からなり、裏面側に被写体に貼着可能な粘着層を備えると共に、基材表面がマット状とされ、且つ、該基材表面に、少なくとも３色の色材が、異なる区画にマット状に塗布されてなる画像記録用カラーチャートを、前記粘着層により被写体に貼着して被写体と共に撮影する過程と、撮影した画像をデジタルデータとして記憶装置に取り込む過程と、前記記憶装置に取り込まれたデジタルデータを、ディスプレイ上に表示する過程と、前記３色のうち少なくとも２色の、ディスプレイ上における前記画像記録用カラーチャートの色値を読み取る過程と、読み取ったカラーチャートの色値のデジタルデータと前記画像記録用カラーチャートにおける対応する区画での目標値とにより各色毎の補正値を算出する過程と、該算出した補正値により前記記憶装置に取り込まれたデジタルデータを補正して、再度記憶装置に取り込む過程と、を有してなり、前記３色の色値の目標値を予め設定しておき、前記ディスプレイ上の画像における各区画の色値を読み取り、読み取った色値のデジタルデータと前記目標値とから補正値を算出する色補正方法であって、
前記色材を白、黒、グレーとし、且つ、これらの色値の目標値ＯH 、ＯL 、ＯM を予め設定しておき、前記ディスプレイ上に表示された画像の白区画のＲＧＢ値ＩH (R)、ＩH (G)、ＩH (B)を読み取り、この読み取り値と対応する前記目標値とを座標軸とする２次元グラフにおける（０，０）−（ＩH ，ＯH ）−（２５５，２５５）の各点を通る補正カーブに基づき、前記取り込まれているＲＧＢ値ＩH (R)、ＩH (G)、ＩH (B)を変換し、
次に黒区画のＲＧＢ値ＩL (R)、ＩL (G)、ＩL (B)を読み取り、この読み取り値と対応する前記目標値とを座標軸とする２次元グラフにおける（０，０）−（ＩL ，ＯL ）−（２５５，２５５）の各点を通る補正カーブに基づき、前記取り込まれたＲＧＢ値ＩL (R)、ＩL (G)、ＩL (B)を変換し、
次にグレー区画のＲＧＢ値ＩM (R)、ＩM(G)、ＩM (B)を読み取り、グレーの、目標とするＲＧＢ値をＯM (R)、ＯM (G)、ＯM (B)として、次式によって、Ｏ′M を算出し、
Ｏ′M (R) ＝ΣＩM ＋（ＯM (R) ／ΣＯM ）
Ｏ′M (G) ＝ΣＩM ＋（ＯM (G) ／ΣＯM ）
Ｏ′M (B) ＝ΣＩM ＋（ＯM (B) ／ΣＯM ）
（但し、ΣＩM ＝ＩM (R) ＋ＩM (G) ＋ＩM (B) ，ΣＯM ＝ＯM (R) ＋ＯM (G) ＋ＯM (B) ）
この読み取り値と対応する前記目標値とを座標軸とする２次元グラフにおける（０，０）−（ＩM ，Ｏ′M ）−（２５５，２５５）の各点を通る補正カーブに基づき、前記取り込まれているＲＧＢ値ＩM (R)、ＩM (G)、ＩM (B)を変換することを特徴とするカラーチャートを用いた画像補正方法。
【請求項３】
紙、樹脂フィルム等のシート状基材からなり、裏面側に被写体に貼着可能な粘着層を備えると共に、基材表面がマット状とされ、且つ、該基材表面に、少なくとも３色の色材が、異なる区画にマット状に塗布されてなる画像記録用カラーチャートを、前記粘着層により被写体に貼着して被写体と共に撮影する過程と、撮影した画像をデジタルデータとして記憶装置に取り込む過程と、前記記憶装置に取り込まれたデジタルデータを、ディスプレイ上に表示する過程と、前記３色のうち少なくとも２色の、ディスプレイ上における前記画像記録用カラーチャートの色値を読み取る過程と、読み取ったカラーチャートの色値のデジタルデータと前記画像記録用カラーチャートにおける対応する区画での目標値とにより各色毎の補正値を算出する過程と、該算出した補正値により前記記憶装置に取り込まれたデジタルデータを補正して、再度記憶装置に取り込む過程と、を有してなり、前記３色の色値の目標値を予め設定しておき、前記ディスプレイ上の画像における各区画の色値を読み取り、読み取った色値のデジタルデータと前記目標値とから補正値を算出する色補正方法であって、
前記色材を白、黒、グレーとし、且つ、これらの色値の目標値ＯH 、ＯL 、ＯM を予め設定しておき、前記ディスプレイ上に開かれた画像の白区画及び黒区画のＬ* 値ＩH (L) 、ＩL (L) 及びグレー区画のＬ* ａ* ｂ* 値ＩM (L) 、ＩM (a)、ＩM (b) をそれぞれ読み取り、この読み取り値と対応する前記目標値とを座標軸とする２次元グラフにおける(０，０）−（ＩL (L)，ＯL (L) ）−（ＩM (L) ，ＯM (L) ）−（ＩH (L) ，ＯH (L) ）−（１００，１００）
の各点を通る補正カーブに基づき、前記取り込まれているＬ* データを変換し、
（但し、白、黒、グレーの目標とするＬ* 値をＯH (L)、ＯL (L)、ＯM (L)とし、目標とするａ*値、ｂ* 値をＯM (a)、ＯM (b)とする）
次に補正値ΔＭ(a) 、ΔＭ(b) を次式によって算出し、
ΔＭ(a) ＝ＯM (a) −ＩM (a)
ΔＭ(b) ＝ＯM (b) −ＩM (b)
前記補正値ΔＭ(a) 、ΔＭ(b) を既に取り込まれているａ*及びｂ* データにそれぞれ加算し、前記変換されたＬ*データを保存することを特徴とする色補正方法。
【請求項４】
請求項１乃至３のいずれかにおいて、前記補正値を記憶する過程と、次回以後に取り込んだ画像のデジタルデータを、前記記憶されている補正値により補正する過程と、この補正されたデジタルデータを記憶する過程と、を有してなるカラーチャートを用いた画像補正方法。
【請求項５】
請求項１乃至４のいずれかにおいて、前記色材が塗布された区画は、色材の種類の数と同数のマス目状とされ、前記基材表面には、該マス目状の区画を囲んで同一寸法の正方形を列状に配置してなるスケールが設けられていることを特徴とする色補正方法。
【請求項６】
請求項１乃至４のいずれかにおいて、前記基材表面を正方形とし、該基材表面に、前記正方形に略内接する円を形成し、且つ、該円を中心角９０°に４等分し、前記円の外側で前記正方形の４隅の区画及び前記４等分円の一方にＲＧＢ表色系の３原色、ＣＭＹ表色系の３原色、Ｌａｂ表色系の基本色のいずれかの色材を、他方に白色、灰色、黒色の色材の少なくとも１つを、それぞれ塗布したことを特徴とする色補正方法。
【請求項７】
請求項６において、前記基材表面の正方形の全域を、前記円の４等分線に重畳してマス目状に区画したことを特徴とする色補正方法。
【請求項８】
請求項６において、前記基材表面における前記円内の少なくとも１つの４等分円を、該円の４等分線に重畳して、マス目状に区画したことを特徴とする色補正方法。
【請求項９】
請求項５乃至８のいずれかにおいて、前記マス目状の各区画の一辺の長さを同一寸法としたことを特徴とする色補正方法。
【請求項１０】
請求項５乃至９のいずれかにおいて、前記基材表面は、前記被写体の表面と略等しい凹凸、色の材料から構成されたことを特徴とする色補正方法。
【請求項１１】
請求項５乃至９のいずれかにおいて、前記基材表面は、人の皮膚と略等しい凹凸、色の材料から構成されたことを特徴とする色補正方法。
【発明の詳細な説明】
【０００１】
【産業上の利用分野】
この発明は医療あるいは美容の分野において、人体の皮膚等のカラー画像を記録する場合における画像記録用カラーチャートを用いた色補正方法に関する。
【０００２】
【従来の技術】
医療や美容の分野において、人の皮膚のカラー画像を写真やビデオに記録することが多い。
【０００３】
例えば、皮膚科における皮膚病変、形整外科における痣の色、治療効果の判定、美容における化粧効果の判定のために、顔を写真あるいはビデオ撮影することが多い。
【０００４】
【発明が解決しようとする課題】
ここで、写真やビデオの撮影は、同一の患者等については時間の経過に伴って複数回撮影することになるが、その撮影の都度、自然光の光量、自然光を含めた照明光源の種類、撮影するための部屋の色彩、フィルムメーカー、現像会社等が異なると、撮影された画像は同一人であっても異なる色になってしまうことがあるという問題点がある。
【０００５】
又、他の臨床例との比較の場合は、当然患者等の皮膚の色が異なることが多いので、比較が更に困難となってしまう。
【０００６】
更に、画像の大きさについても、撮影の都度、距離、倍率等を厳密に同一条件とすることが困難であるために、変化が避けられず、正確な比較、判定を困難とするという問題点があった。
【０００７】
これに対して、得られた画像をコンピュータ処理してその色、大きさを補正することが考えられるが、基準が不明確であるために補正が恣意的に行われ易く、色の評価や相対的な比較に正確さを欠くという問題点がある。
【０００８】
この発明は、上記従来の問題点に鑑みてなされたものであって、記録された画像を被写体に近い色に補正して、個別に撮影された複数の画像を同一条件で比較する際に、画像記録用カラーチャートを用いて、記録された画像の色を補正する方法を提供することを目的とする。
【００１１】
【発明を解決するための手段】
この発明は、紙、樹脂フィルム等のシート状基材からなり、裏面側に被写体に貼着可能な粘着層を備えると共に、基材表面がマット状とされ、且つ、該基材表面に、少なくとも３色の色材が、異なる区画にマット状に塗布されてなる画像記録用カラーチャートを、前記粘着層により被写体に貼着して被写体と共に撮影する過程と、撮影した画像をデジタルデータとして記憶装置に取り込む過程と、前記記憶装置に取り込まれたデジタルデータを、ディスプレイ上に表示する過程と、前記３色のうち少なくとも２色の、ディスプレイ上における前記画像記録用カラーチャートの色値を読み取る過程と、読み取ったカラーチャートの色値のデジタルデータと前記画像記録用カラーチャートにおける対応する区画での目標値とにより各色毎の補正値を算出する過程と、該算出した補正値により前記記憶装置に取り込まれたデジタルデータを補正して、再度記憶装置に取り込む過程と、を有してなり、前記３色の色値の目標値を予め設定しておき、前記ディスプレイ上の画像における各区画の色値を読み取り、読み取った色値のデジタルデータと前記目標値とから補正値を算出する色補正方法であって、前記色材を白、黒、グレーとし、且つ、白及び黒の色値の目標値ＯH 、ＯL を予め設定しておき、前記ディスプレイ上に表示された画像の白区画のＲＧＢ値ＩH (R)、ＩH (G)、ＩH (B)を読み取り、この読み取り値と対応する前記目標値とを座標軸とする２次元グラフにおける（０，０）−（ＩH ，ＯH ）−（２５５，２５５）の各点を通る補正カーブに基づき、前記取り込まれているＲＧＢ値ＩH (R)、ＩH (G)、ＩH (B)を変換し、次に黒区画のＲＧＢ値ＩL (R)、ＩL (G)、ＩL (B)を読み取り、この読み取り値と対応する前記目標値とを座標軸とする２次元グラフにおける（０，０）−（ＩL ，ＯL ）−（２５５，２５５）の各点を通る補正カーブに基づき、前記取り込まれているＲＧＢ値ＩL (R)、ＩL (G)、ＩL (B)を変換し、次にグレー区画のＲＧＢ値ＩM (R) 、ＩM(G) 、ＩM (B) を読み取り、この読み取り値であるＩM (R)、ＩM (G)、ＩM (B)の平均値Ａｖｅ（ＩM ）を計算し、前記読み取り値と対応する前記目標値とを座標軸とする２次元グラフにおける（０，０）−（ＩM ，Ａｖｅ（ＩM ））−（２５５，２５５）の各点を通る補正カーブに基づき、前記取り込まれているＲＧＢ値ＩM (R) 、ＩM (G)、ＩM (B)を変換するするようにして、上記目的を達成するものである。
【００１２】
請求項２の発明は、紙、樹脂フィルム等のシート状基材からなり、裏面側に被写体に貼着可能な粘着層を備えると共に、基材表面がマット状とされ、且つ、該基材表面に、少なくとも３色の色材が、異なる区画にマット状に塗布されてなる画像記録用カラーチャートを、前記粘着層により被写体に貼着して被写体と共に撮影する過程と、撮影した画像をデジタルデータとして記憶装置に取り込む過程と、前記記憶装置に取り込まれたデジタルデータを、ディスプレイ上に表示する過程と、前記３色のうち少なくとも２色の、ディスプレイ上における前記画像記録用カラーチャートの色値を読み取る過程と、読み取ったカラーチャートの色値のデジタルデータと前記画像記録用カラーチャートにおける対応する区画での目標値とにより各色毎の補正値を算出する過程と、該算出した補正値により前記記憶装置に取り込まれたデジタルデータを補正して、再度記憶装置に取り込む過程と、を有してなり、前記３色の色値の目標値を予め設定しておき、前記ディスプレイ上の画像における各区画の色値を読み取り、読み取った色値のデジタルデータと前記目標値とから補正値を算出する色補正方法であって、前記色材を白、黒、グレーとし、且つ、これらの色値の目標値ＯH 、ＯL 、ＯM を予め設定しておき、前記ディスプレイ上に表示された画像の白区画のＲＧＢ値ＩH (R)、ＩH (G)、ＩH (B)を読み取り、この読み取り値と対応する前記目標値とを座標軸とする２次元グラフにおける（０，０）−（ＩH ，ＯH ）−（２５５，２５５）の各点を通る補正カーブに基づき、前記取り込まれているＲＧＢ値ＩH (R)、ＩH (G)、ＩH (B)を変換し、次に黒区画のＲＧＢ値ＩL (R)、ＩL (G)、ＩL (B)を読み取り、この読み取り値と対応する前記目標値とを座標軸とする２次元グラフにおける（０，０）−（ＩL ，ＯL ）−（２５５，２５５）の各点を通る補正カーブに基づき、前記取り込まれたＲＧＢ値ＩL (R)、ＩL (G)、ＩL (B)を変換し、次にグレー区画のＲＧＢ値ＩM (R)、ＩM(G)、ＩM (B)を読み取り、グレーの、目標とするＲＧＢ値をＯM (R)、ＯM (G)、ＯM (B)として、次式によって、Ｏ′M を算出し、
Ｏ′M (R) ＝ΣＩM ＋（ＯM (R) ／ΣＯM ）
Ｏ′M (G) ＝ΣＩM ＋（ＯM (G) ／ΣＯM ）
Ｏ′M (B) ＝ΣＩM ＋（ＯM (B) ／ΣＯM ）
（但し、ΣＩM ＝ＩM (R) ＋ＩM (G) ＋ＩM (B) ，ΣＯM ＝ＯM (R) ＋ＯM (G) ＋ＯM (B) ）
この読み取り値と対応する前記目標値とを座標軸とする２次元グラフにおける（０，０）−（ＩM ，Ｏ′M ）−（２５５，２５５）の各点を通る補正カーブに基づき、前記取り込まれているＲＧＢ値ＩM (R)、ＩM (G)、ＩM (B)を変換するようにして、上記目的を達成するものである。
請求項３の発明は、紙、樹脂フィルム等のシート状基材からなり、裏面側に被写体に貼着可能な粘着層を備えると共に、基材表面がマット状とされ、且つ、該基材表面に、少なくとも３色の色材が、異なる区画にマット状に塗布されてなる画像記録用カラーチャートを、前記粘着層により被写体に貼着して被写体と共に撮影する過程と、撮影した画像をデジタルデータとして記憶装置に取り込む過程と、前記記憶装置に取り込まれたデジタルデータを、ディスプレイ上に表示する過程と、前記３色のうち少なくとも２色の、ディスプレイ上における前記画像記録用カラーチャートの色値を読み取る過程と、読み取ったカラーチャートの色値のデジタルデータと前記画像記録用カラーチャートにおける対応する区画での目標値とにより各色毎の補正値を算出する過程と、該算出した補正値により前記記憶装置に取り込まれたデジタルデータを補正して、再度記憶装置に取り込む過程と、を有してなり、前記３色の色値の目標値を予め設定しておき、前記ディスプレイ上の画像における各区画の色値を読み取り、読み取った色値のデジタルデータと前記目標値とから補正値を算出する色補正方法であって、前記色材を白、黒、グレーとし、且つ、これらの色値の目標値ＯH 、ＯL 、ＯM を予め設定しておき、前記ディスプレイ上に開かれた画像の白区画及び黒区画のＬ* 値ＩH (L) 、ＩL (L) 及びグレー区画のＬ* ａ* ｂ* 値ＩM (L) 、ＩM (a）、ＩM (b) をそれぞれ読み取り、この読み取り値と対応する前記目標値とを座標軸とする２次元グラフにおける（０，０）−（ＩL (L)，ＯL (L) ）−（ＩM (L) ，ＯM (L) ）−（ＩH (L) ，ＯH (L) ）−（１００，１００）の各点を通る補正カーブに基づき、前記取り込まれているＬ* データを変換し（但し、白、黒、グレーの目標とするＬ* 値をＯH (L)、ＯL (L)、ＯM (L)とし目標とするａ*値、ｂ* 値をＯM (a)、ＯM (b)とする）、次に補正値ΔＭ(a) 、ΔＭ(b) を次式によって算出し、
ΔＭ(a) ＝ＯM (a) −ＩM (a)
ΔＭ(b) ＝ＯM (b) −ＩM (b)
前記補正値ΔＭ(a) 、ΔＭ(b) を既に取り込まれているａ*及びｂ* データにそれぞれ加算し、前記変換されたＬ*データを保存することを特徴とする色補正方法により上記目的を達成するものである。
請求項４の発明は、請求項１乃至３のいずれかにおいて、前記補正値を記憶する過程と、次回以後に取り込んだ画像のデジタルデータを、前記記憶されている補正値により補正する過程と、この補正されたデジタルデータを記憶する過程と、を有してなるようにしたものである。
【００１３】
請求項５の発明は、請求項１乃至４のいずれかの発明において、前記色材が塗布された区画を、色材の種類の数と同数のマス目状とし、前記基材表面には、該マス目状の区画を囲んで同一寸法の正方形を列状に配置してなるスケールを設けたものである。
【００１４】
請求項６の発明は、請求項１乃至４のいずれかの発明において、前記基材表面を正方形とし、該基材表面に、前記正方形に略内接する円を形成し、且つ、該円を中心角９０°に４等分し、この４等分円、及び前記円の外側で前記正方形の４隅の区画の一方にＲＧＢ表色系の３原色、ＣＭＹ表色系の３原色、Ｌａｂ表色系の基本色のいずれかの色材を、他方に白色、灰色、黒色の色材の少なくとも１つを、それぞれ塗布したものである。
【００１５】
請求項７の発明は、請求項６の発明において、前記基材表面の正方形の全域を、前記円の４等分線に重畳してマス目状に区画したものである。
【００１６】
請求項８の発明は、請求項６の発明において、前記基材表面における前記円内の少なくとも１つの４等分円を、該円の４等分線に重畳して、マス目状に区画したものである。
【００１７】
請求項９の発明は、請求項５乃至８のいずれかの発明において、前記マス目状の各区画の一辺の長さを同一寸法としたものである。
【００１８】
請求項１０の発明は、請求項５乃至９のいずれかの発明において、前記基材表面を、前記被写体の表面と略等しい凹凸、色の材料から構成したものである。
【００１９】
請求項１１の発明は、請求項５乃至９のいずれかの発明において、前記基材表面を、人の皮膚と略等しい凹凸、色の材料から構成したものである。
【００３０】
この発明においては、画像記録用カラーチャートが被写体、例えば人体の皮膚に貼着可能なシート状基材から構成され、更に基材の表面が光の反射を抑制するマット状で、このマット状の表面に少なくとも３色の色材が異なる区画にマット状に塗布され、これにより、被写体を撮影した後に前記３色を基準として色の補正を正確に行い、異なる被写体のカラー画像記録、同一被写体の異なる条件でのカラー画像記録を正確に比較することができる。
【００３２】
更に、マス目状の区画に色材を塗布すると共に、その周囲に同一寸法の正方形を列状に配置してスケールを構成することにより、色のみならず、被写体のサイズ、傾斜、歪みを正確に知って、調整を容易とすることができる。
【００３３】
又、基材表面を正方形にして、その内接円を中心角９０°に４等分し、その４等分円と外側の正方形の４隅に適宜色材を塗布することによって、被写体の種類等の条件、画像出力の態様等に応じて最適に配色し、補正、比較を容易とすることができる。
【００３４】
更に、前記円の４等分線に重畳して基材表面の全域をマス目状に区画することによって、寸法や歪みをより正確に表現し、補正を容易とする。
【００３５】
更に又、前記マス目状の各区画の一辺の長さを同一寸法にすることによって、一目で被写体の大きさを理解させることができる。
【００３６】
又、前記基材の表面を被写体、例えば人間の皮膚と略等しい凹凸、色の材料から構成することによって、被写体表面における光の反射、色調の条件を正確に反映させて後の画像処理をより正確に行うことができる。
【００３７】
本方法発明によれば、画像として取り込まれた画像表示用カラーチャートにおける基本の３色のうちの少なくとも２色（ＲＧＢ、ＣＭＹの場合は３色）の、ディスプレイ上の色値とカラーチャートにおける対応する区画での色材の色値を比較して各色毎の補正値を算出することによって、画像中の各色の区画における値が画像全体で最適となるように容易に補正することができる。
【００３８】
又、読み取るべき画像の区画の色を白、黒及びグレーとし、これらの色値を同時に補正するようにしているので、先の補正の結果が後の補正によって影響を受けることがなく、色値の補正を最適にすることができる。又、被写体の撮影時の露光の過不足や色かぶりによって生じた色調不良を簡単に補正することができる。
【００３９】
又、読み取るべき区画の色を白、黒、グレーとして、且つ、これらの順で読み取り、読み取りの都度順次色値を補正することにより、被写体の撮影時の露光の過不足や色かぶりによって生じた色調不良を簡単に補正することができる。白、黒、グレーの順で読み取り、且つ補正した場合は、最も良好な補正結果が得られた。
【００４０】
【発明の実施の形態】
以下本発明の実施の形態の例を図面を参照して説明する。
【００４１】
図１に示されるように、この発明に係る画像記録用カラーチャート１０は、紙、樹脂フィルム等のシート状基材１２からなり、表面形状は正方形であって、中央が９個の正方形のマス目状にされた色区画１４と、その周囲に前記色区画１４よりも小さな同一寸法の正方形を列状に配置してなるスケール１６が設けられている。
【００４２】
前記９個の色区画１４は、図１において左上から右下に向かって、光の３原色であるＲ、Ｇ、Ｂ、と、黒色、灰色、白色、更には色材の３原色であるＹ、Ｍ、Ｃの各色材によって塗り分けられている。
【００４３】
前記シート状基材１２の表面は、マット状（つや消し）で、且つ塗布（印刷）される色材の仕上りがマット状とされて、反射光が散乱されるようになっている。
【００４４】
又、シート状基材１２の裏面側は、図２に拡大して示されるように、例えば人の皮膚等の被写体に貼着可能な粘着層１８とされ、例えば剥離紙からなる台紙１９に貼着されていて、該台紙１９から剥がして使用できるようにされている。
【００４５】
前記画像記録用カラーチャート１０は、例えば図３に示されるように患者２０の顔面に粘着層１８により貼着して、これを貼り付けた状態で写真撮影、あるいはビデオ撮影を行う。
【００４６】
フィルムあるいは磁気記録装置等に記録（撮影）された画像の色は、当然照明光、フィルム、カメラ、等の条件によって異なるが、記録された画像内には前記画像記録用カラーチャート１０の色が取り込まれているので、この色区画１４の各色を元の色に戻すように、画像処理装置（コンピュータ）によって補正すれば、患者２０の皮膚の色は正確に補正されることになる。
【００４７】
更に色区画１４に、光の３原色ＲＧＢ、色材の３原色ＣＭＹ、カラーバランス調整用の白色、灰色及び黒色が塗布されているので、カラー画像の出力形態に応じて正確に補正することができる。
【００４８】
又、記録されたカラー画像には、スケール１６も取り込まれているので、複数の異なる条件で記録したカラー画像の大きさを該スケール１６に基づいて等しく調整することができる。又、色区画１４及びスケール１６は共に正方形のマス目状であるので、被写体の傾斜、歪み状態を正確に知ることができる。
【００４９】
画像処理のためのデジタル信号を得る具体的手順は、次のようにする。
【００５０】
まずスチールカメラで撮影した場合は、そのフィルム又は印画紙の像をカラースキャナで分解してデジタルデータに変換する。デジタルカメラで撮影した場合は、その信号をそのまま画像処理する。更には、ビデオカメラで撮影した場合は、その静止画像をＡ／Ｄ変換してデジタル信号とし、これを画像処理装置によって処理して補正を行う（詳細は後述）。
【００５１】
なお、前記画像記録用カラーチャート１０は、例えば全体の一辺の長さを５ｃｍ、２ｃｍ、１ｃｍ、５ｍｍ等の複数種類用意し、これを被写体の大きさに応じて使用するものとする。例えば図３のように患者の顔面を撮影する場合は、一辺が１ｃｍ又は２ｃｍの正方形の画像記録用カラーチャート１０を用いる。
【００５２】
この場合、得られるカラー画像の全面積に対して画像記録用カラーチャート１０の面積が過大にならず、且つ画像処理の際に十分な色情報を得られるように過小とならない範囲、例えばカラー画像の１／５０〜１／１００の面積となるように選択する。
【００５３】
なお、一辺が５ｍｍの画像記録用カラーチャートは、スケール１６のマス目がカラー画像内で潰れてしまうので、例えば図４に示されるように、色区画１４のマス目と同一となるようにする。
【００５４】
上記図１の例は、シート状基材１２の表面をマス目状に区画して色区画１４とし、その外側にスケール１６を形成したものであるが、本発明はこれに限定されるものでなく、シート状基材の表面に少なくとも３色の色材が異なる区画に塗布されるものであればよく、又、色材もＲＧＢ系、ＣＭＹ系に限定されず、Ｌａｂ表色系の基本色（以下ＲＧＢ系及びＣＭＹ系の３原色も含めて基本色という）でもよく、従って以下のような各種の実施の形態でもよい。
【００５５】
図５に示される本発明の実施の形態の第２例に係る画像記録用カラーチャート２２は、その表面が正方形形状であり、該正方形の内接円２４とその外側の、前記正方形の４隅に、ＲＧＢ系、ＣＭＹ系又はＬａｂ系の３又は４基本色を表示する色区画２６を設けると共に、前記内接円２４の内側を中心角９０°に４等分し、その４等分線２４Ａに重ねて正方形のマス目２８を形成し、４等分円２５の対向する２つを黒色としたものである。
【００５６】
色区画２６にＲＧＢ系の３基本色を塗布した場合、残りの一隅には灰色とするとよい。又、前記黒色とされた一対の４等分円２５におけるマス目２８の線は色抜きとされている。
【００５７】
なお前記内接円２４内の４等分円は、図６の第３実施例の画像記録用カラーチャート３０のように、黒色に塗布しないものとしてもよい。
【００５８】
更に、図７は本発明の実施の形態の第４例に係る画像記録用カラーチャートを示す。
【００５９】
この画像記録用カラーチャート３２は正方形の表面の全域をマス目３４により区画すると共に、該正方形に内接する内接円３６を形成し、更に該内接円３６を前記マス目３４と重畳する４等分線３６Ａにより４等分し、４等分円３７にＲＧＢ表色系、ＣＭＹ表色系及びＬａｂ表色系のうちいずれかの表色系の３基本色に１色を加えた色材を塗布し、内接円３６と前記正方形との間の４隅部分には白色、灰色、及び黒色を適宜配色したものである。
【００６０】
図８に示される本発明の第５実施例の画像記録用カラーチャート４０は、前記図６に示される実施例における４等分円２５の１つ２５Ａに画像処理装置により色補正する際に、特に重要な色の色材を塗布したものである。この場合、図８（Ａ）に示されるように、４等分円２５内のマス目を除去してもよく、又図８（Ｂ）に示されるように、４等分円２５にマス目２８を設けてもよい。
【００６１】
図９は、本発明の形態の第６例に係る画像記録用カラーチャート４２を示す。
【００６２】
この画像記録用カラーチャート４２は、１と同様のスケール１６における、図９において、右側縦方向の列を、上端から１マスおきの、塗りつぶされない白抜きマス目４４Ａ〜４４Ｅと、各白抜きマス目４４Ａ〜４４Ｅの間の、カラーチャート管理情報の１つであるバージョンナンバーに応じて塗りつぶされ又は塗りつぶされない情報表示マス目４６Ａ〜４６Ｄとから構成されている。
【００６３】
又、スケール１６における、図９において、下側横方向の列は、右端から１つおきの、塗りつぶさることがない白抜きマス目４５Ａ〜４５Ｅと、これら白抜きマス目４５Ａ〜４５Ｅの間の、カラーチャート管理情報の１つであるロットナンバーに対応して塗りつぶされ又は塗りつぶされない情報表示マス目４７Ａ〜４７Ｄとから構成とされている。
【００６４】
前記スケール１６の、図９において上側横方向列の中央の２つのマス目は、各々半分が塗りつぶされて、上向き矢印状の貼付方向指示マーク４８が構成されている。
【００６５】
前記情報表示マス目４６Ａ〜４６Ｄ、４７Ａ〜４７Ｄは、二進法によってバージョンナンバー及びロットナンバーを表示するようにされている。
【００６６】
例えば、図９に示されるように、縦方向列での上から１番目の情報表示マス目４６Ａのみが塗りつぶされているときはバージョンＮｏ．１、図１０のように１番目と２番目の情報表示マス目４６Ａ、４６Ｂが塗りつぶされているときはバージョンＮｏ．３、図１１のように、第１、第３及び第４の情報表示マス目４６Ａ、４６Ｃ、４６Ｄが塗りつぶされているときはバージョンＮｏ．１３をそれぞれ表示するようにされている。
【００６７】
又、下側横方向列では、例えば、図９のように、第１の情報表示マス目４７Ａのみが塗りつぶされているときは、ロットＮｏ．１を示し、図１０のように第２の情報表示マス目４７Ｂのみが塗りつぶされているときはロットＮｏ．２を表示し、更に、図１１のように第１、第２及び第３の情報表示マス目４７Ａ、４７Ｂ、４７Ｃがそれぞれ塗りつぶされているときはロットＮｏ．７を表示するようにされている。
【００６８】
前記画像記録用カラーチャート４２における色区画１４の各色の色値は、バージョンナンバー及びロットナンバー毎に、予め測定され、コンピュータのメモリーあるいは紙に、テーブルとして記録されていて、バージョンナンバー及びロットナンバーを読み取り、あるいは指定することにより、色値を設定及び／又は表示できるようになっている。又、ロットナンバーに対する各色値を記載した表（テーブル）を予め用意しておき、マニュアルでテーブルの色値を、コンピュータに入力するするようにしてもよい。
【００６９】
なお、上記実施例は紙、樹脂フィルム等のシート状基材の表面をマット状とし、且つここに３基本色等の色材をマット状に塗布したものであるが、これはストロボ等の照明光による反射が色がとぶ等の不明瞭な画像の発生を防止するためのものであり、理想的には、被写体の表面の凹凸、色彩と一致する性状の表面とするのがよい。
【００７０】
従って、例えば人の皮膚に、本発明に係る画像記録用カラーチャートを貼り付けて用いる場合は、該画像記録用カラーチャートの基材表面は人の皮膚の凹凸及び色と略一致した性状とするのがよい。
【００７１】
人の皮膚の凹凸は、例えば乳幼児、子供、成人、老人、男性、女性、油性肌、乾性肌等に応じて適宜選択する。更に色は、白色人種、黄色人種、黒色人種又はこれらの混血人種等に応じて配色するものとする。
【００７２】
次に、上記のような画像記録用カラーチャートを用いて実際に画像の色を補正する方法の例について説明する。
【００７３】
この方法は、図１２に示されるように、上記のような画像記録用カラーチャートを、前記粘着層１８により被写体である患者２０に貼着して、該患者２０と共に撮影する過程と、撮影した画像をデジタルデータとして図１３に示されるコンピュータ５０の記憶装置５１に取り込む過程と、前記記憶装置５１に取り込まれたデジタルデータをディスプレイ５２上に表示する過程と、前記３色のうち少なくとも２色の、前記ディスプレイ５２上のカラーチャートの色値を例えばポインティングデバイス５４で指示してチャート値読み取り部５５に取り込む過程と、前記読み取ったカラーチャートの色値のデジタルデータと前記画像記録用カラーチャートにおける対応する区画での（予め設定されている）目標値又は設定値とを比較することにより各色毎の補正値を、例えば補正カーブ作成部５６において算出する過程と、該算出した補正値により、前記記憶装置５１に取り込まれたデジタルデータを、例えば画像データ変換部５８により補正して、再度記憶装置５１に取り込む過程とにより、カラーチャートを用いた画像の色補正方法を構成したものである。符号６０は画像補正部全体、６２は目標値設定部をそれぞれ示す。目標値又は設定値は、図９〜図１１に示される画像記録用カラーチャートにおけると同様のバージョンナンバー、ロットナンバーを読み取り、又は入力することにより、予め入力されているテーブルに基づき目標値設定部６２において自動的に設定するようにしておく。なお、前述のように表に示された目標値をマニュアルで目標値設定部６２に入力して、設定するようにしてもよい。
【００７４】
具体的には、図１２に示されるように、ステップ１０１で被写体である患者２０に画像記録用カラーチャートを貼り、ステップ１０２において被写体をカラーチャートと共に撮影し、ステップ１０３において撮影した画像をデジタル化して記憶し、ステップ１０４において記憶した画像をディスプレイ５２上に表示し、ステップ１０５においてスキャナ５４により、該ディスプレイ５２上のカラーチャート画像における白、黒及びグレーの各区画の色値を読み取る。
【００７５】
次に、この読み取ったデジタルデータと、前記画像記録用カラーチャートにおける白、黒、グレーの予め設定されている目標値のデジタルデータとにより、補正カーブ作成部５６において、図１４に示されるように、補正値を縦軸、読み取り値を横軸とする２次元のグラフにおける補正カーブを形成し（ステップ１０６参照）、この補正カーブに基づいて前記取り込まれたデジタルデータを補正し（ステップ１０７参照）、ステップ１０８において補正されたデジタルデータを保存する。
【００７６】
更に詳細には、図１３に示されるように、目標値設定部６２により補正カーブ作成部５６に予め白、黒、グレーの目標値ＯＨ  、ＯL 、ＯM を設定しておき、ディスプレイ５２上に画像を開いた後、その画像中の白、黒及びグレー区画のＲＧＢ値ＩH (R) 、ＩH (G) 、ＩH (B) 、ＩL (R) 、ＩL (G) 、ＩL (B) 、ＩM (R) 、ＩM (G) 、ＩM (B) をそれぞれ読み取り、前記２次元グラフの点（０，０）−（ＩL ，ＯL ）−（ＩM ，ＯM ）−（ＩH ，ＯH ）−（２５５，２５５）を通る補正曲線を形成し、この補正曲線に基づいて、既に取り込まれているＲＧＢ各デジタルデータを変換し、このデジタルデータを記憶装置５１に保存する。
【００７７】
例えば、画像記録用カラーチャートのＲＧＢ値（入力値）が、
白：ＩH (R) ＝208 ，ＩH (G) ＝188 ，ＩH (B) ＝217
黒：ＩH (R) ＝ 29 ，ＩH (G) ＝ 16 ，ＩH (B) ＝ 19
グレー：ＩH (R) ＝126 ，ＩH (G) ＝ 90 ，ＩH (B) ＝138
目標とするＲＧＢ値（目標値）が、
白：ＯH (R) ＝ＯH (G) ＝ＯH (B) ＝228
黒：ＯL (R) ＝ＯL (G) ＝ＯL (B) ＝ 35
グレー：ＯM (R) ＝ＯM (G) ＝ＯM (B) ＝114
の場合、
補正カーブは、
Ｒデータ：(0,0) −(29,35) −(126,114) −(208,228) −(255,255)
Ｇデータ：(0,0) −(16,35) −( 90,114）−(188,228) −(255,255)
Ｂデータ：(0,0) −(19,35) −(138,114) −(217,228) −(255,255)
となる（図１４参照）。
【００７８】
前記図１２に示されるフローチャート１の補正方法の例を補正アルゴリズム１とすると、この補正アルゴリズム１では、白、黒及びグーの各色区画の読取りデジタルデータを同時に補正変換しているので、白、黒、グレー毎に順次補正した場合のように、先に行った補正の結果が、後に行補正によって影響を受けるという欠点がないので理想的である。
【００７９】
但し、コンピュータの構成あるいはソフトウェアの仕様等によって、アルゴリズム１の補正方法をとることが困難な場合、次の補正アルゴリズム２〜４のような補正方法をとってもよい。
【００８０】
これらアルゴリズム２、３及び４は、図１５に示されるフローチャートの手順で取込まれたデジタルデータを補正するものである。
【００８１】
まず、補正アルゴリズム２を図１５を参照して説明する。
【００８２】
予め、白、黒、グレーの目標値ＯH 、ＯL 、ＯM を設定しておき、ステップ２０１で画像を表示し、ステップ２で画像中の白区画のＲＧＢ値ＩH (R) 、ＩH (G) 、ＩH (B) を読取り、ステップ２０３で補正アルゴリズム（０，０）−（ＩH ，ＯH ）−（２５５，２５５）を通るハイライト補正カーブを作成し（図１６参照）、次にこのハイライト補正カーブにより、ステップ２０４においてハイライト補正をするようにＲＧＢ各データを変換し、次にステップ２０５において画像中の黒区画のＲＧＢ値ＩL (R) 、ＩL (G) 、ＩL (B) を読取り、ステップ２０６において（０，０）−（ＩL ，ＯL ）−（２５５，２５５）を通るシャドウ補正カーブを作成し、ステップ２０７においてシャドウ補正するようにＲＧＢ各データを変換する。
【００８３】
次に画像中のグレー区画のＲＧＢ値ＩM (R) 、ＩM (G) 、ＩM (B) を読取り、ステップ２０９において（０，０）−（ＩM ，ＯM ）−（２５５，２５５）を通るグレー補正カーブを作成しこれに基づき、グレー補正するようにＲＧＢ各データを変換して、ステップ２１１で画像（デジタルデータ）を保存する。
【００８４】
例えば、チャートのＲＧＢ値（入力値）が、
白：ＩH (R) ＝208 ，ＩH (G) ＝188 ，ＩH (B) ＝217
黒：ＩH (R) ＝ 29 ，ＩH (G) ＝ 16 ，ＩH (B) ＝ 19
グレー：ＩH (R) ＝126 ，ＩH (G) ＝ 90 ，ＩH (B) ＝138
目標とするＲＧＢ値（目標値）が、
白：ＯH (R) ＝ＯH (G) ＝ＯH (B) ＝228
黒：ＯL (R) ＝ＯL (G) ＝ＯL (B) ＝ 35
グレー：ＯM (R) ＝ＯM (G) ＝ＯM (B) ＝114
の場合、
ハイライト補正カーブは、
Ｒデータ：(0,0) −(208,228) −(255,255)
Ｇデータ：(0,0) −(188,228) −(255,255)
Ｂデータ：(0,0) −(217,228) −(255,255)
シャドウ補正カーブは、
Ｒデータ：(0,0) −(29,35) −(255,255)
Ｇデータ：(0,0) −(16,35) −(255,255)
Ｂデータ：(0,0) −(19,35) −(255,255)
グレー補正カーブは、
Ｒデータ：(0,0) −(126,114) −(255,255)
Ｇデータ：(0,0) −( 90,114）−(255,255)
Ｂデータ：(0,0) −(138,114) −(255,255)
となる（図１６〜１８参照）。
【００８５】
補正アルゴリズム３は、前記ステップ２０９及び２１０において補正アルゴリズム２と異なる。補正アルゴリズム３におけるステップ２０９は、読取ったグレー区画のＲＧＢ値ＩM (R) 、ＩM (G) 、ＩM (B) の平均値Ａve (ＩM ）を計算して、（０，０）−ＩM 、Ａve (ＩM ）−（２５５，２５５）を通るグレー補正カーブを作成し、ステップ２１０でこの補正カーブに基づいてＲＧＢ各デジタルデータを変換し、ステップ２１１で変換された画像のデジタルデータを保存するものである。
【００８６】
チャートのＲＧＢ値（入力値）が、
白：ＩH (R) ＝208 ，ＩH (G) ＝188 ，ＩH (B) ＝217
黒：ＩH (R) ＝ 29 ，ＩH (G) ＝ 16 ，ＩH (B) ＝ 19
グレー：ＩH (R) ＝126 ，ＩH (G) ＝ 90 ，ＩH (B) ＝138
目標とするＲＧＢ値（目標値）が、
白：ＯH (R) ＝ＯH (G) ＝ＯH (B) ＝228
黒：ＯL (R) ＝ＯL (G) ＝ＯL (B) ＝ 35
の場合、
ハイライト補正カーブは、
Ｒデータ：(0,0) −(208,228) −(255,255)
Ｇデータ：(0,0) −(188,228) −(255,255)
Ｂデータ：(0,0) −(217,228) −(255,255)
シャドウ補正カーブは、
Ｒデータ：(0,0) −(29,35) −(255,255)
Ｇデータ：(0,0) −(16,35) −(255,255)
Ｂデータ：(0,0) −(19,35) −(255,255)
グレー補正カーブは、
Ｒデータ：(0,0) −(126,118) −(255,255)
Ｇデータ：(0,0) −( 90,118）−(255,255)
Ｂデータ：(0,0) −(138,118) −(255,255)
となる（図１６〜１８参照）。
【００８７】
次に、補正アルゴリズム４について説明する。
【００８８】
この補正アルゴリズムは、前記補正アルゴリズム２と、ステップ２０１〜２０８が同一であり、ステップ２０９では、次式によってＯ′M を算出する。
【００８９】
Ｏ′M (R) ＝ΣＩM ＊（ＯM (R) ／ΣＯM ）
Ｏ′M (G) ＝ΣＩM ＊（ＯM (G) ／ΣＯM ）
Ｏ′M (B) ＝ΣＩM ＊（ＯM (B) ／ΣＯM ）
【００９０】
更に算出したＯ′M に基づいて、（０，０）−（ＩM ，Ｏ′M ）−（２５５，２５５）を通るグレー補正カーブを作成し、ステップ２１０において、前記グレー補正カーブに基づいてＲＧＢ各デジタルデータを変換して、ステップ２１１において変換された画像のデジタルデータを保存するものである。
【００９１】
更に同様に、チャートのＲＧＢ値（入力値）が、
白：ＩH (R) ＝208 ，ＩH (G) ＝188 ，ＩH (B) ＝217
黒：ＩH (R) ＝ 29 ，ＩH (G) ＝ 16 ，ＩH (B) ＝ 19
グレー：ＩH (R) ＝126 ，ＩH (G) ＝ 90 ，ＩH (B) ＝138
目標とするＲＧＢ値（目標値）が、
白：ＯH (R) ＝ＯH (G) ＝ＯH (B) ＝228
黒：ＯL (R) ＝ＯL (G) ＝ＯL (B) ＝ 35
グレー：ＯH (R) ＝ＯH (G) ＝ＯH (B) ＝114
の場合、
ハイライト補正カーブは、
Ｒデータ：(0,0) −(208,228) −(255,255)
Ｇデータ：(0,0) −(188,228) −(255,255)
Ｂデータ：(0,0) −(217,228) −(255,255)
シャドウ補正カーブは、
Ｒデータ：(0,0) −(29,35) −(255,255)
Ｇデータ：(0,0) −(16,35) −(255,255)
Ｂデータ：(0,0) −(19,35) −(255,255)
グレー補正カーブは、
Ｒデータ：(0,0) −(126,118) −(255,255)
Ｇデータ：(0,0) −( 90,118）−(255,255)
Ｂデータ：(0,0) −(138,118) −(255,255)
と同じ結果となる（図１６〜１８参照）。
【００９２】
前記補正アルゴリズム２、３及び４は、白、黒、グレーの順で、即ちハイライト補正、シャドウ補正、グレー補正を独立で行うために、先の補正の結果が後の補正によって影響を受ける場合があるが、実際上大きな不都合はない。
【００９３】
又、上記の如く、補正アルゴリズム２、３、４において、補正をハイライト（白）、シャドウ（黒）、グレーの順にすると、白は後の黒、グレーの補正によって変化する可能性があるが、見た目の変化が少ないので、最も良好な補正結果が得られた。
【００９４】
上記補正アルゴリズム１〜４では、画像データとしてＲＧＢデータを例としてあげているが、これはＣＭＹデータでもよい。
【００９５】
次に、Ｌ* ａ* ｂ* やＬ* ｕ* ｖ* 、ＹＩＱ等、明度（輝度）と色差が分離した表色系の画像データに対する補正アルゴリズム５を、Ｌ* ａ* ｂ* データを例に、図１９のフローチャートを参照して説明する。
【００９６】
予め、白、黒、グレーの目標ＯH 、ＯL 、ＯM を設定しておき、ステップ３０１で画像を表示し、ステップ３０２で画像中の白、黒区画のＬ* 値ＩH (L) 、ＩL (L) 及びグレー区画のＬ* ａ* ｂ* 値ＩM (L) 、ＩM (a) 、ＩM (b) をそれぞれ読み取り、ステップ３０３で（０，０）−（ＩL (L) ，ＯL (L) ）−（ＩM (L) ，ＯM (L) ）−（ＩH (L) ，ＯH (L) ）−（１００，１００）を通るＬ* 補正カーブを作成し、ステップ３０４でこの補正カーブに基づいて、既に取り込まれているＬ* データを変換し、ステップ３０５で補正値ΔＭ(a) 、ΔＭ(b) を次式によって算出する。
【００９７】
ΔＭ(a) ＝ＯM (a）−ＩM (a)
ΔＭ(b) ＝ＯM (b）−ＩM (b)
【００９８】
そして、ステップ３０６で既に取り込まれているａ* 及びｂ* データに前記補正値ΔＭ(a) 、ΔＭ(B) をそれぞれ加算し、ステップ３０７で変換された画像のデジタルデータを保存するものである。
【００９９】
例えば、チャートのＬ* ａ* ｂ* 値（入力値）が、
白：ＩH (L) ＝８４
黒：ＩL (L) ＝１２
グレー：ＩM (L) ＝５５，ＩM (a) ＝２４，ＩM (b) ＝−１９
目標とするＬ* ａ* ｂ* 値（目標値）が、
白：ＯH (L) ＝９３
黒：ＯL (L) ＝２２
グレー：ＯM (L) ＝５８，ＯM (a) ＝０，ＯM (b) ＝０
の場合、Ｌ* 補正カーブは、
（０，０）−（１２，２２）−（５５，５８）−（８４，９３）
−（１００，１００）
となり（図２０参照）、補正値ΔＭ(a) 、ΔＭ(b) は、
ΔＭ(a) ＝０−２４＝−２４
ΔＭ(b) ＝０−（−１９）＝１９
となる。
【０１００】
上記補正アルゴリズム５では、画像データとしてＬ* ａ* ｂ* を例としてあげているが、これはＬ* ｕ* ｖ* やＹＩＱ等、明度（輝度）と色差が分離した表色系の画像データでもよい。
【０１０１】
又、上記補正アルゴリズム１〜５はいずれも白、黒及びグレーの区画を利用して色調を補正しているが、これは、撮影時の露出不良及び色かぶりにより色調不良の補正に関しては、これら３色を利用することが最も有効だからである。
【０１０２】
例えば、撮影した画像の中のどの部分をハイライト及びシャドーとみなすかを見極めるのは容易ではないが、画像記録用カラーチャートと共に撮影した画像であれば、該カラーチャートの白部分がハイライトポイント、黒部分がシャドーポイントであることが一目でわかる。
【０１０３】
又、色かぶりの補正には、画像の中から本来無彩色であるべき部分をみつける必要があるが、白、黒、グレーは無彩色であるので、これを利用することが色かぶりの補正に有効である。
【０１０４】
なお、上記補正アルゴリズムは、画像中の白、黒、グレーの区画を利用して色調を補正するようにしたものであるが、本発明はこれに限定されるものでなく、他の色を利用するものであってもよい。又、補正の順序も限定されない。
【０１０５】
又、前記色補正方法では、ディスプレイ上に表示された画像毎に補正カーブを作成して色値を補正するようにしているが、撮影条件が同一の複数の画像の場合は、同一の補正カーブを利用することができる。
【０１０６】
従って、この場合、初回の色補正操作のとき作成し、保存した補正カーブを利用することにより、図１２、図１５及び図１９のフローチャートにおける補正カーブ作成のステップを省略して、色補正の作業を短縮化することができる。
【０１０７】
【発明の効果】
本発明の画像記録用カラーチャートは上記のように構成したので、撮影により取り込んだカラー画像を画像処理装置によって色補正する場合、標準となる少なくとも３色がそのカラー画像に取り込まれているので、その標準色に基づいて被写体の色補正を精密に行うことができる。又、色材塗布の形状を円形及び四角、あるいはマス目との組合せとすることによって、歪み、大きさ、及び歪みの補正も行うことができる。
【０１０８】
又本発明の画像記録用カラーチャートを用いた色補正方法は、撮影時の露光の過不足や色かぶりによって生じた色調不良を簡単に補正することができるという効果を有する。
【図面の簡単な説明】
【図１】本発明の実施の形態の第１例に係る画像記録用カラーチャートを拡大して示す平面図
【図２】同画像記録用カラーチャートの断面を拡大して示す断面図
【図３】同画像記録用カラーチャートを患者の顔面に貼着した状態を示す表面図
【図４】同画像記録用カラーチャートの変形例を示す平面図
【図５】本発明の実施の形態の第２例に係る画像記録用カラーチャートを拡大して示す平面図
【図６】本発明の実施の形態の第３例に係る画像記録用カラーチャートを拡大して示す平面図
【図７】本発明の実施の形態の第４例に係る画像記録用カラーチャートを拡大して示す平面図
【図８】本発明の実施の形態の第５例に係る画像記録用カラーチャートを拡大して示す平面図
【図９】本発明の実施の形態の第６例に係る画像記録用カラーチャートを拡大して示す平面図
【図１０】本発明の実施の形態の第７例に係る画像記録用カラーチャートを拡大して示す平面図
【図１１】本発明の実施の形態の第８例に係る画像記録用カラーチャートを拡大して示す平面図
【図１２】本発明に係る画像記録用カラーチャートを用いた色補正方法により画像を補正する手順を示すフローチャート
【図１３】同色補正方法を実施するためのシステムを示すブロック図
【図１４】図１２のフローチャートで示された色補正アルゴリズムによって作成されたＲＧＢ補正カーブを示す線図
【図１５】本発明に係る色補正方法の他の補正アルゴリズムを示すフローチャート
【図１６】図１５に示されるフローチャートのアルゴリズムによって作成されたハイライト補正カーブを示す線図
【図１７】同シャドウ補正カーブを示す線図
【図１８】同グレー補正カーブを示す線図
【図１９】本発明に係る色補正方法の更に他の補正アルゴリズムを示すフローチャート
【図２０】図１９に示されるフローチャートのアルゴリズムによって作成された補正カーブを示す線図
【符号の説明】
１０、２２、３０、３２、４０…画像記録用カラーチャート
１２…シート状基材
１４、２６…色区画
１６…スケール
１８…粘着層
２０…患者
２４、３６…内接円
２４Ａ、３６Ａ…４等分線
２５、３７…４等分円
２８…マス目
５０…コンピュータ
５１…記憶装置
５２…ディスプレイ
５４…ポインティングデバイス
５６…補正カーブ作成部
５８…画像データ変換部
【図１】
0003763880.tif 000002
【図２】
0003763880.tif 000003
【図３】
0003763880.tif 000004
【図４】
0003763880.tif 000005
【図５】
0003763880.tif 000006
【図６】
0003763880.tif 000007
【図７】
0003763880.tif 000008
【図８】
0003763880.tif 000009
【図９】
0003763880.tif 000010
【図１０】
0003763880.tif 000011
【図１１】
0003763880.tif 000012
【図１２】
0003763880.tif 000013
【図１３】
0003763880.tif 000014
【図１４】
0003763880.tif 000015
【図１５】
0003763880.tif 000016
【図１６】
0003763880.tif 000017
【図１７】
0003763880.tif 000018
【図１８】
0003763880.tif 000019
【図１９】
0003763880.tif 000020
【図２０】
0003763880.tif 000021